【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
主スイッチング素子と、チョークコイルと、出力コンデンサと、ダイオードモジュールとを備え、前記主スイッチング素子のオンオフ動作によって直流電源の電圧を変換して異なる直流電圧を出力するＤＣ−ＤＣコンバータであって、
前記ダイオードモジュールは、補助スイッチング素子および共振用コンデンサからなる第１の直列回路と、フライホイールダイオードおよび共振用コイルからなる第２の直列回路とを備え、前記第１および第２の直列回路が並列に接続されていると共に、前記補助スイッチング素子と前記共振用コンデンサの接続点と、前記フライホイールダイオードと前記共振用コイルの接続点との間に接続された第２のダイオードを含むことを特徴とするＤＣ−ＤＣコンバータ。
【請求項２】
前記ダイオードモジュールは、前記共振用コンデンサに並列に接続された第１のダイオードを含むことを特徴とする請求項１に記載のＤＣ−ＤＣコンバータ。
【請求項３】
前記主スイッチング素子の一端が直流電源の一端に接続され、前記主スイッチング素子の他端が前記チョークコイルの一端に接続され、前記チョークコイルの他端が前記出力コンデンサの一端に接続され、前記ダイオードモジュールが、前記主スイッチング素子と前記チョークコイルの接続点と、前記直流電源の他端との間に接続されて、降圧動作を行うことを特徴とする請求項１または２に記載のＤＣ−ＤＣコンバータ。
【請求項４】
前記チョークコイルの一端が直流電源の一端に接続され、前記チョークコイルの他端が前記主スイッチング素子の一端に接続され、前記主スイッチング素子の他端が前記直流電源の他端に接続され、前記ダイオードモジュールが、前記チョークコイルと前記主スイッチング素子の接続点と、前記出力コンデンサの一端との間に接続されて、昇圧動作を行うことを特徴とする請求項１または２に記載のＤＣ−ＤＣコンバータ。
【請求項５】
前記主スイッチング素子の一端が直流電源の一端に接続され、前記主スイッチング素子の他端が前記チョークコイルの一端に接続され、前記チョークコイルの他端が前記直流電源の他端に接続され、前記ダイオードモジュールが、前記主スイッチング素子と前記チョークコイルの接続点と、前記出力コンデンサの一端との間に接続されて、昇降圧動作を行うことを特徴とする請求項１または２に記載のＤＣ−ＤＣコンバータ。
【請求項６】
第１の前記チョークコイルの一端が直流電源の一端に接続され、前記第１のチョークコイルの他端が前記主スイッチング素子の一端および結合コンデンサの一端に接続され、前記主スイッチング素子の他端が前記直流電源の他端に接続され、前記結合コンデンサの他端が第２の前記チョークコイルの一端に接続され、前記第２のチョークコイルの他端が前記出力コンデンサの一端に接続され、前記ダイオードモジュールが、前記結合コンデンサと前記第２のチョークコイルの接続点と、前記直流電源の他端との間に接続されて、昇降圧動作を行うことを特徴とする請求項１または２に記載のＤＣ−ＤＣコンバータ。
【請求項７】
第１の前記チョークコイルの一端が直流電源の一端に接続され、前記第１のチョークコイルの他端が前記主スイッチング素子の一端および結合コンデンサの一端に接続され、前記主スイッチング素子の他端が前記直流電源の他端に接続され、前記結合コンデンサの他端が第２の前記チョークコイルの一端に接続され、前記第２のチョークコイルの他端が前記直流電源の他端に接続され、前記ダイオードモジュールが、前記結合コンデンサと前記第２のチョークコイルの接続点と、前記出力コンデンサの一端との間に接続されて、昇降圧動作を行うことを特徴とする請求項１または２に記載のＤＣ−ＤＣコンバータ。
【請求項８】
前記主スイッチング素子の一端が直流電源の一端に接続され、前記主スイッチング素子の他端が第１の前記チョークコイルの一端および結合コンデンサの一端に接続され、前記第１のチョークコイルの他端が前記直流電源の他端に接続され、前記結合コンデンサの他端が第２の前記チョークコイルの一端に接続され、前記第２のチョークコイルの他端が前記出力コンデンサの一端に接続され、前記ダイオードモジュールが、前記結合コンデンサと前記第２のチョークコイルの接続点と、前記直流電源の他端との間に接続されて、昇降圧動作を行うことを特徴とする請求項１または２に記載のＤＣ−ＤＣコンバータ。
【請求項９】
前記主スイッチング素子に並列にコンデンサが接続されていることを特徴とする請求項１から８のいずれか１項に記載のＤＣ−ＤＣコンバータ。
【請求項１０】
主スイッチング素子と、チョークコイルと、出力コンデンサと、ダイオードモジュールとを備え、前記主スイッチング素子のオンオフ動作によって直流電源の電圧を変換して異なる直流電圧を出力するＤＣ−ＤＣコンバータであって、
前記ダイオードモジュールは、補助スイッチング素子および共振用コンデンサからなる第１の直列回路と、フライホイールダイオードおよび共振用コイルからなる第２の直列回路とを備え、前記第１および第２の直列回路が並列に接続されていると共に、前記共振用コイルと前記フライホイールダイオードの接続点と、前記直流電源との間に第３のダイオードを備えることを特徴とするＤＣ−ＤＣコンバータ。
【手続補正２】
【補正対象書類名】明細書
【補正対象項目名】００１１
【補正方法】変更
【補正の内容】
【００１１】
上記目的を達成するため、本発明に係るＤＣ−ＤＣコンバータは、主スイッチング素子と、チョークコイルと、出力コンデンサと、ダイオードモジュールとを備え、前記主スイッチング素子のオンオフ動作によって直流電源の電圧を変換して異なる直流電圧を出力するＤＣ−ＤＣコンバータであって、前記ダイオードモジュールは、補助スイッチング素子および共振用コンデンサからなる第１の直列回路と、フライホイールダイオードおよび共振用コイルからなる第２の直列回路とを備え、前記第１および第２の直列回路が並列に接続されていると共に、前記補助スイッチング素子と前記共振用コンデンサの接続点と、前記フライホイールダイオードと前記共振用コイルの接続点との間に接続された第２のダイオードを含むことを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００２３
【補正方法】変更
【補正の内容】
【００２３】
また、補助スイッチング素子と共振用コンデンサの接続点と、フライホイールダイオードと共振用コイルの接続点との間に第２のダイオードを接続することによって、リンギングの発生を抑制することが可能となる。
【手続補正５】
【補正対象書類名】明細書
【補正対象項目名】００２４
【補正方法】変更
【補正の内容】
【００２４】
さらに、ダイオードモジュール中の共振用コンデンサに並列に第１のダイオードを接続することによって、共振用コンデンサの電圧が逆方向になることが防止されるため、主スイッチング素子のデューティ比が非常に小さい場合であっても、ＤＣ−ＤＣコンバータを正常に動作させることができる。
【手続補正６】
【補正対象書類名】明細書
【補正対象項目名】００３０
【補正方法】変更
【補正の内容】
【００３０】
ここで、図２（ａ）および図２（ｂ）に示すダイオードモジュール２０、２０´において、フライホイールダイオードＤ３が十分な耐圧を有しかつ後述するリンギングによるノイズの発生を考慮する必要がない等の理由により、第２のダイオードＤ４を使用しない場合、補助スイッチング素子Ｑ２と共振用コンデンサＣ４からなる直列回路の接続順は逆にしてもよく、同様に、フライホイールＤ３と共振用コイルＬ２からなる直列回路の接続順を逆にしてもよい。